(57)【要約】      （修正有）【課題】基地局装置にカスケード接続された複数のアンテナ装置で同じ上りリンク信号をそれぞれ受信するシステムで、各アンテナ装置でそれぞれ受信した受信信号を、受信品質に基づき各アンテナ装置にて選択的に使用する。【解決手段】アンテナ装置６は、移動局装置に割り当てていないサブバンドのサブバンド情報を受信する第１受信部３０と、カスケード接続の下流の他アンテナ装置で受信した上りリンク信号と受信品質を受信する第２受信部４０と、無線の上りリンク信号を受信する無線受信部３６と、無線受信部３６により受信された無線の上りリンク信号の受信電力およびサブバンド情報により特定されるサブバンドにおける受信電力に基づく無線の上りリンク信号の受信品質と、第２受信部４０が受信した受信品質情報とを比較する比較部４６と、を備える。【選択図】図４
2012049776.tif 000002
【特許請求の範囲】
【請求項１】
基地局装置にカスケード接続で接続される複数のアンテナ装置のいずれかであって、
周波数帯域を分割して得られる複数のサブバンドのうち、移動局装置に割り当てられていないサブバンドを特定するサブバンド情報を、前記基地局装置から受信する第１受信部と、
移動局装置から送信され前記カスケード接続の下流側の他のアンテナ装置にて受信された上りリンク信号およびこの上りリンク信号の受信品質情報を、前記カスケード接続の下流側に接続された他のアンテナ装置から受信する第２受信部と、
移動局装置から送信された無線の上りリンク信号を受信する無線受信部と、
前記無線受信部により受信された前記無線の上りリンク信号の受信電力および前記サブバンド情報により特定されるサブバンドにおける受信電力に基づく前記無線の上りリンク信号の受信品質と、前記第２受信部が受信した受信品質情報とを比較する比較部と、
を備えるアンテナ装置。
【請求項２】
前記比較部による比較結果に基づいて、前記無線受信部により受信された前記上りリンク信号と前記第２受信部により受信された前記上りリンク信号とを合成するか否かを判定する判定部と、
前記無線受信部により受信された前記上りリンク信号と前記第２受信部により受信された前記上りリンク信号とを合成する合成部と、
前記合成部により合成された信号を、前記カスケード接続の上流側に送信する送信部と、を備える請求項１に記載のアンテナ装置。
【請求項３】
前記合成部が前記上りリンク信号を合成しない場合に、前記比較部による比較結果に基づいて、前記無線受信部により受信された前記上りリンク信号と前記第２受信部により受信された前記上りリンク信号とのいずれかを選択する第１選択部を備え、
前記送信部は、前記第１選択部が選択した上り信号を送信する請求項２に記載のアンテナ装置。
【請求項４】
前記比較部による比較結果に基づいて、前記無線受信部により受信された前記上りリンク信号と前記第２受信部により受信された前記上りリンク信号とのいずれかを選択する第１選択部と、
前記第１選択部により選択された信号を、前記カスケード接続の上流側に送信する送信部と、を備える請求項１に記載のアンテナ装置。
【請求項５】
前記サブバンド毎に上りリンク信号を格納する複数の格納領域を持つ信号フォーマットに、前記複数のサブバンドにて伝送される上りリンク信号のそれぞれを格納することにより、前記カスケード接続にて伝送される信号を生成する信号生成部と、
前記複数の格納領域のうち前記サブバンド情報により特定されるサブバンド用の格納領域に格納する上り信号として、前記第１選択部により選択されない上りリンク信号を選択する第２選択部と、
を備える請求項３又は４に記載のアンテナ装置。
【請求項６】
基地局装置と、この基地局装置に対してカスケード接続される複数のアンテナ装置を有する通信システムであって、
前記基地局装置は、
周波数帯域を複数のサブバンドに分割して移動局装置に割り当てる割当部と、
前記複数のサブバンドのうち、移動局装置に割り当てられていないサブバンドを特定するサブバンド情報を前記複数のアンテナ装置に送信するサブバンド情報送信部と、を備え、
前記アンテナ装置は、
前記サブバンド情報を前記基地局装置から受信する第１受信部と、
移動局装置から送信され前記カスケード接続の下流側の他のアンテナ装置にて受信された上りリンク信号およびこの上りリンク信号の受信品質情報を、前記カスケード接続の下流側に接続された他のアンテナ装置から受信する第２受信部と、
移動局装置から送信された無線の上りリンク信号を受信する無線受信部と、
前記無線受信部により受信された前記無線の上りリンク信号の受信電力および前記サブバンド情報により特定されるサブバンドにおける受信電力に基く前記無線の上りリンク信号の受信品質と、前記第２受信部が受信した受信品質情報とを比較する比較部と、
を備える通信システム。
【請求項７】
前記アンテナ装置は、
前記比較部による比較結果に基づいて、前記無線受信部により受信された前記上りリンク信号と前記第２受信部により受信された前記上りリンク信号とを合成するか否かを判定する判定部と、
前記無線受信部により受信された前記上りリンク信号と前記第２受信部により受信された前記上りリンク信号とを合成する合成部と、
前記合成部により合成された信号を、前記カスケード接続の上流側に送信する送信部と、を備える請求項６に記載の通信システム。
【請求項８】
前記アンテナ装置は、前記合成部が前記上りリンク信号を合成しない場合に、前記比較部による比較結果に基づいて、前記無線受信部により受信された前記上りリンク信号と前記第２受信部により受信された前記上りリンク信号とのいずれかを選択する第１選択部、を備え、
前記送信部は、前記第１選択部が選択した上り信号を送信する請求項７に記載の通信システム。
【請求項９】
前記アンテナ装置は、
前記サブバンド毎に上りリンク信号を格納する複数の格納領域を持つ信号フォーマットに、前記複数のサブバンドにて伝送される上りリンク信号のそれぞれを格納することにより、前記カスケード接続にて伝送される信号を生成する信号生成部と、
前記複数の格納領域のうち前記サブバンド情報により特定されるサブバンド用の格納領域に格納する上り信号として、前記第１選択部により選択されない上りリンク信号を選択する第２選択部と、を備え、
前記送信部は、前記信号フォーマットに格納された前記上りリンク信号と、前記第２選択部により選択された上りリンク信号のサブバンドを特定する特定情報とを、送信し、
前記基地局装置は、
前記送信部から送信された前記上りリンク信号と前記特定情報とを受信する受信部と、
前記複数の格納領域のうち前記特定情報により特定されるサブバンド用の格納領域に格納される上りリンク信号と、前記割当決定部が割り当てていないサブバンド用の格納領域に格納される上りリンク信号の位相補正を行う補正部と、
位相補正が行われた前記上りリンク信号を合成する合成部と、
を備える請求項８に記載の通信システム。
【請求項１０】
複数のアンテナ装置がカスケード接続される基地局装置であって、
周波数帯域を複数のサブバンドに分割して移動局装置に割り当てる割当部と、
移動局装置から前記サブバンドで送信された上りリンク信号を受信する前記アンテナ装置から、前記サブバンド毎に上りリンク信号を格納する複数の格納領域を持つ信号フォーマットに格納された前記上りリンク信号、および前記複数の格納領域のうち前記割当決定部が割り当てていないサブバンド用の格納領域に格納される上りリンク信号が送信されたサブバンドを特定情報を、前記カスケード接続を経由して受信する受信部と、
前記複数の格納領域のうち前記特定情報により特定されるサブバンド用の格納領域に格納される上りリンク信号と、前記割当決定部が割り当てていないサブバンド用の格納領域に格納される上りリンク信号の位相補正を行う補正部と、
位相補正が行われた前記上りリンク信号を構成する合成部と、
を備える基地局装置。
【請求項１１】
基地局装置にカスケード接続で接続される複数のアンテナ装置による通信方法において、
周波数帯域を分割して得られる複数のサブバンドのうち、移動局装置に割り当てられていないサブバンドを特定するサブバンド情報を、前記基地局装置から受信し、
移動局装置から送信され前記カスケード接続の下流側の他のアンテナ装置にて受信された上りリンク信号およびこの上りリンク信号の受信品質情報を、前記カスケード接続の下流側に接続された他のアンテナ装置から受信し、
移動局装置から送信された無線の上りリンク信号を受信し、
受信された前記無線の上りリンク信号の受信電力および前記サブバンド情報により特定されるサブバンドにおける受信電力に基づく前記無線の上りリンク信号の受信品質と、前記第２受信部が受信した受信品質情報とを比較し、
前記比較した結果に基づいて、前記無線受信部により受信された前記上りリンク信号と前記第２受信部により受信された前記上りリンク信号とを合成し、又は、前記無線受信部により受信された前記上りリンク信号と前記第２受信部により受信された前記上りリンク信号とのいずれかを選択し、
前記合成された信号、又は、選択された信号を前記カスケード接続の上流側に送信する、
ことを特徴とする通信方法。
【請求項１２】
複数のアンテナ装置がカスケード接続される基地局装置における通信方法において、
周波数帯域を複数のサブバンドに分割して移動局装置に割り当て、
移動局装置から前記サブバンドで送信された上りリンク信号を受信する前記アンテナ装置から、前記サブバンド毎に上りリンク信号を格納する複数の格納領域を持つ信号フォーマットに格納された前記上りリンク信号、および前記複数の格納領域のうち移動局装置に割り当てていないサブバンド用の格納領域に格納される上りリンク信号が送信されたサブバンドの特定情報を、前記カスケード接続を経由して受信し、
前記複数の格納領域のうち前記特定情報により特定されるサブバンド用の格納領域に格納される上りリンク信号と、前記割当決定部が割り当てていないサブバンド用の格納領域に格納される上りリンク信号の位相補正を行い、
前記位相補正が行われた前記上りリンク情報を合成する、
ことを特徴とする通信方法。
【発明の詳細な説明】
【技術分野】
【０００１】
本明細書で論じられる実施態様は、基地局装置に対してカスケード接続される複数のアンテナ装置を有する通信システム、そのアンテナ装置及びその基地局装置、並びに通信方法に関する。
【背景技術】
【０００２】
分散配置された複数のアンテナ装置を基地局装置に有線でカスケード接続し、これらのアンテナ装置を用いて基地局装置と移動局装置との間の信号を送受信するアンテナシステムが提案されている。
【０００３】
基地局装置から移動局装置へ送信される下りリンク信号の送信の際には、各アンテナ装置は上流側に接続された基地局装置又は他のアンテナ装置から下りリンク信号を受信する。各アンテナ装置は、受信した下りリンク信号を無線回線により移動局装置へ送信すると共に、下りリンク信号をコピーして下流のアンテナ装置へ転送する。
【０００４】
移動局装置から基地局装置へ送信される上りリンク信号の受信の際には、各アンテナ装置は、無線回線により移動局装置から上りリンク信号を受信する。上りリンク用の周波数帯域は複数のサブバンドに分割され、各ユーザ、すなわち各移動局装置に割り当てられる。各アンテナ装置は、無線回線を介して移動局装置から受信した信号と、下流側の他のアンテナ装置から受信した上りリンク信号とを合成する。各アンテナ装置は、合成後の上りリンク信号を上流側に接続された基地局装置又は他のアンテナ装置へ転送する。
【先行技術文献】
【特許文献】
【０００５】
【特許文献１】特開２００４−２２２２２２号公報
【特許文献２】特開２００９−７１６７２号公報
【発明の概要】
【発明が解決しようとする課題】
【０００６】
上記のアンテナシステムにおいて、ｍ個のアンテナ装置によってそれぞれ受信されたあるサブバンドの受信信号に含まれる所望信号、他セル干渉成分及び熱雑音成分を、それぞれＳ１〜Ｓｍ、Ｉ１〜Ｉｍ、及びＮ１〜Ｎｍと表記する。受信信号を合成した合成信号の受信品質である信号対干渉雑音比（ＳＩＮＲ: signal to interference plus noise ratio）は、以下の式（１）の通りである。なお、以下の説明において他セル干渉成分及び熱雑音成分を総称して、「非所望信号」と表記することがある。
【０００７】
ＳＩＮＲ＝（Ｓ１＋…＋Ｓｍ）／（Ｉ１＋…＋Ｉｍ＋Ｎ１＋…＋Ｎｍ）      （１）
【０００８】
式（１）を参照すると、ｍ個のアンテナ装置の受信信号を合成したとしても、各アンテナ装置で受信した非所望信号も合計されるために、受信品質の改善は期待できないことが分かる。すなわち、ある受信信号に対し、受信品質が悪い信号を合成すると元の信号の受信品質の低下を招く。
【０００９】
実施態様に係る装置及び方法は、複数のアンテナ装置が基地局装置に対してカスケード接続されるアンテナシステムにおいて、各アンテナ装置で受信した受信信号を、受信品質に基づいて各アンテナ装置が選択的に使用できるようにすることを目的とする。
【課題を解決するための手段】
【００１０】
実施例の一態様によれば、アンテナ装置が与えられる。複数のアンテナ装置が、基地局装置にカスケード接続で接続される。アンテナ装置は、周波数帯域を分割して得られる複数のサブバンドのうち、移動局装置に割り当てられていないサブバンドを特定するサブバンド情報を、基地局装置から受信する第１受信部と、移動局装置から送信されカスケード接続の下流側の他のアンテナ装置にて受信された上りリンク信号およびこの上りリンク信号の受信品質情報を、カスケード接続の下流側に接続された他のアンテナ装置から受信する第２受信部と、移動局装置から送信された無線の上りリンク信号を受信する無線受信部と、無線受信部により受信された無線の上りリンク信号の受信電力およびサブバンド情報により特定されるサブバンドにおける受信電力に基づく無線の上りリンク信号の受信品質と、第２受信部が受信した受信品質情報とを比較する比較部と、を備える。
【００１１】
実施例の他の一態様によれば、基地局装置に対して複数のアンテナ装置がカスケード接続される通信システムが与えられる。基地局装置は、周波数帯域を複数のサブバンドに分割して移動局装置に割り当てる割当部と、複数のサブバンドのうち、移動局装置に割り当てられていないサブバンドを特定するサブバンド情報を複数のアンテナ装置に送信するサブバンド情報送信部と、を備える。アンテナ装置は、サブバンド情報を基地局装置から受信する第１受信部と、移動局装置から送信されカスケード接続の下流側の他のアンテナ装置にて受信された上りリンク信号およびこの上りリンク信号の受信品質情報を、カスケード接続の下流側に接続された他のアンテナ装置から受信する第２受信部と、移動局装置から送信された無線の上りリンク信号を受信する無線受信部と、無線受信部により受信された無線の上りリンク信号の受信電力およびサブバンド情報により特定されるサブバンドにおける受信電力に基く無線の上りリンク信号の受信品質と、第２受信部が受信した受信品質情報とを比較する比較部と、を備える。
【００１２】
実施例の他の一態様によれば、複数のアンテナ装置がカスケード接続される基地局装置が与えられる。この基地局装置は、周波数帯域を複数のサブバンドに分割して移動局装置に割り当てる割当部と、移動局装置からサブバンドで送信された上りリンク信号を受信するアンテナ装置から、サブバンド毎に上りリンク信号を格納する複数の格納領域を持つ信号フォーマットに格納された上りリンク信号、および複数の格納領域のうち割当決定部が割り当てていないサブバンド用の格納領域に格納される上りリンク信号が送信された周波数帯域を特定する周波数帯域情報をカスケード接続を経由して受信する受信部と、割当決定部が割り当てていないサブバンド用の格納領域に格納される上りリンク信号と、周波数帯域情報により特定される周波数帯域で送信された上りリンク信号の位相補正を行う補正部と、位相補正が行われた上りリンク信号を合成する合成部を備える。
【００１３】
実施例の他の一態様によれば、基地局装置にカスケード接続で接続される複数のアンテナ装置による通信方法が与えられる。この方法では、周波数帯域を分割して得られる複数のサブバンドのうち、移動局装置に割り当てられていないサブバンドを特定するサブバンド情報を基地局装置から受信し、移動局装置から送信されカスケード接続の下流側の他のアンテナ装置にて受信された上りリンク信号およびこの上りリンク信号の受信品質情報を、カスケード接続の下流側に接続された他のアンテナ装置から受信し、移動局装置から送信された無線の上りリンク信号を受信し、受信された無線の上りリンク信号の受信電力およびサブバンド情報により特定されるサブバンドにおける受信電力に基づく無線の上りリンク信号の受信品質と、第２受信部が受信した受信品質情報とを比較し、比較した結果に基づいて、無線受信部により受信された上りリンク信号と第２受信部により受信された上りリンク信号とを合成し、又は、無線受信部により受信された上りリンク信号と第２受信部により受信された上りリンク信号とのいずれかを選択し、合成された信号、又は、選択された信号をカスケード接続の上流側に送信する。
【００１４】
実施例の他の一態様によれば、複数のアンテナ装置がカスケード接続される基地局装置における通信方法が与えられる。この方法では、周波数帯域を複数のサブバンドに分割して移動局装置に割り当て、移動局装置からサブバンドで送信された上りリンク信号を受信するアンテナ装置から、サブバンド毎に上りリンク信号を格納する複数の格納領域を持つ信号フォーマットに格納された上りリンク信号、および複数の格納領域のうち移動局装置に割り当てていないサブバンド用の格納領域に格納される上りリンク信号が送信されたサブバンドの特定情報を、カスケード接続を経由して受信し、複数の格納領域のうち特定情報により特定されるサブバンド用の格納領域に格納される上りリンク信号と、割当決定部が割り当てていないサブバンド用の格納領域に格納される上りリンク信号の位相補正を行い、位相補正が行われた上りリンク情報を合成する。
【発明の効果】
【００１５】
本件開示の装置又は方法によれば、複数のアンテナ装置が基地局装置に対してカスケード接続されるアンテナシステムにおいて、各アンテナ装置で受信した受信信号を、受信品質に基づいて各アンテナ装置が選択的に使用することが可能となる。
【図面の簡単な説明】
【００１６】
【図１】通信システムの全体構成図である。
【図２】基地局装置の第１例の構成図である。
【図３】デジタル信号線を介して伝送される信号フォーマットの例の説明図である。
【図４】アンテナ装置の例の構成図である。
【図５】信号処理部の第１例の構成図である。
【図６】アンテナ装置における処理の第１例の説明図である。
【図７】第１送信信号決定処理の第１例の説明図である。
【図８】第１送信信号決定処理の第２例の説明図である。
【図９】信号処理部の第２例の構成図である。
【図１０】アンテナ装置における処理の第２例の説明図である。
【図１１】第２送信信号決定処理の例の説明図である。
【図１２】信号フォーマット中の未割当サブバンド用格納領域で伝送する信号を選定する条件の説明図である。
【図１３】基地局装置の第２例の構成図である。
【発明を実施するための形態】
【００１７】
以下、添付する図面を参照して本発明の実施例について説明する。図１は、通信システムの全体構成図である。通信システム１は、コアネットワーク２と、複数の移動局装置４−１及び４−２と、基地局装置５と、複数のアンテナ装置６−１〜６−ｍを備える。以下の説明において、移動局装置４−１及び４−２を総称して「移動局装置４」と表記することがある。また以下の説明において、複数のアンテナ装置６−１〜６−ｍを総称して「アンテナ装置６」と表記することがある。
【００１８】
複数のアンテナ装置６−１〜６−ｍは、所定の伝送帯域幅を有するデジタル信号線７−１及び７−２によりカスケード接続されている。デジタル信号線７−１は、基地局装置５から移動局装置４へ送信される下りリンク信号を伝送するために使用される。また、デジタル信号線７−１は、所定の制御信号を基地局装置５からアンテナ装置６へ送信するために使用される。デジタル信号線７−１を伝送する各信号は、カスケード接続された複数のアンテナ装置６−１〜６−ｍ間を、上流から下流へ向けて流れる。
【００１９】
デジタル信号線７−２は、移動局装置４から基地局装置５へ送信される上りリンク信号を伝送するために使用される。また、デジタル信号線７−２は、所定の制御信号をアンテナ装置６から基地局装置５へ送信するため、及び所定の制御信号を下流側のアンテナ装置６からより上流側のアンテナ装置６へ送信するために使用される。デジタル信号線７−２を伝送する各信号は、カスケード接続された複数のアンテナ装置６−１〜６−ｍ間を、下流から上流へ向けて流れる。以下の説明において、デジタル信号線７−１及び７−２を総称して「デジタル信号線７」と表記することがある。
【００２０】
次に、基地局装置５の構成について説明する。図２は、基地局装置５の第１例の構成図である。基地局装置５は、データバッファ１０及び１８と、スケジューラ１１と、データチャネル生成部１２と、マッピング部１３と、送信部１４を備える。また、基地局装置５は、受信部１５と、デマッピング部１６と、データチャネル復号部１７を備える。
【００２１】
なお、スケジューラ１１は、特許請求の範囲に記載される割当部の一例として挙げられる。また、送信部１４は特許請求の範囲に記載されるサブバンド情報送信部の一例として挙げられる。
【００２２】
基地局装置５が、コアネットワーク２から移動局装置４へ送信される下りリンク信号のデータを受信したとき、受信されたデータはデータバッファ１０に格納される。スケジューラ１１は、下りリンク信号の伝送のために指定された周波数帯域、及び上りリンク信号の伝送のために指定された周波数帯域を複数のサブバンドに分割する。スケジューラ１１は、データバッファ１０に格納されたデータの情報量に基づいて、各ユーザ、すなわち各移動局装置４に割り当てるサブバンドを決定する。
【００２３】
データチャネル生成部１２は、スケジューラ１１が決定したサブバンドの割り当てを示す割当情報に基づいて、データバッファ１０に格納された下りリンク信号のデータの誤り符号化及び変調処理を実行する。マッピング部１３は、割当情報に基づいて、符号化された下りリンク信号のデータを所定のデジタル信号の信号フォーマットにマッピングする。
【００２４】
図３は、デジタル信号線７を介して伝送される信号フォーマットの例の説明図である。以下の説明では、サブバンド数がｐ個の場合を想定する。信号フォーマットは、サブバンド＃１〜＃ｐ毎に、データ部Ｄ１〜Ｄｐとヘッダ部Ｈ１〜Ｈｐを有する。データ部Ｄ１〜Ｄｐには、各サブバンド＃１〜＃ｐでそれぞれ伝送される上りリンク信号のデータが格納される。また、ヘッダ部Ｈ１〜Ｈｐには各サブバンドの利用情報など、所定の制御信号が格納される。１サブバンドあたりのビット幅はｑビットであり、１回の送信あたりの帯域占有期間はｒ［ｍｓ］である。
【００２５】
図２を参照する。スケジューラ１１は、移動局装置４に割り当てられていない上りリンクのサブバンドを特定するサブバンド情報を生成する。マッピング部１３は、下りリンク信号のデータにサブバンド情報を多重化する。以下の説明において、サブバンド情報によって特定されるサブバンドを、「未割当サブバンド」と表記することがある。
【００２６】
マッピング部１３は、例えば、図３に示す信号フォーマットのヘッダ部分Ｈ１〜Ｈｐに、上りリンクのサブバンドの割り当ての有無を示す情報を格納することによって、サブバンド情報を下りリンク信号のデータに多重化してよい。また、マッピング部１３は、図３に示す信号フォーマットと別に、デジタル信号線７−１上で伝送される信号にサブバンド情報を多重化してよい。サブバンド情報を多重化するのは送信部１４であってもよい。
【００２７】
送信部１４は、下りリンク信号がマッピングされた信号フォーマットを、デジタル信号線７−１を経由してアンテナ装置６へ送信する。
【００２８】
受信部１５は、デジタル信号線７−２を経由してアンテナ装置６から上りリンク信号が格納された信号フォーマットを受信する。信号フォーマットの形式は、図３で示したフォーマットと同様であってよい。デマッピング部１６は、信号フォーマットの中から各サブバンドで受信された上りリンク信号のデータをユーザ毎に分離する。
【００２９】
例えば、図３に示す信号フォーマットのヘッダ部分Ｈ１〜Ｈｐに、各サブバンドが割り当てられたユーザのユーザ番号が格納されていてよい。デマッピング部１６は、ヘッダ部分Ｈ１〜Ｈｐに格納されたユーザ番号を参照することにより、信号フォーマットに格納されたデータをユーザ毎に分離する。
【００３０】
データチャネル復号部１７は、ユーザ毎に分離されたデータを復調及び復号化する。復号化された上りリンク信号のデータは、コアネットワーク２へ送信されるまでの間、データバッファ１８に格納される。
【００３１】
次に、アンテナ装置６の構成について説明する。図４は、アンテナ装置６の例の構成図である。アンテナ装置６は、下りリンク受信部３０と、複製部３１と、下りリンク送信部３２と、デジタルアナログ変換器３３と、無線送信部３４と、アンテナ共用器３５と、を備える。また、アンテナ装置６は、無線受信部３６と、アナログデジタル変換器３７と、フーリエ変換部３８と、サブバンド分割部３９及び４１と、上りリンク受信部４０とを備える。
【００３２】
また、アンテナ装置６は、信号処理部４２と、サブバンド合成部４３と、上りリンク送信部４４と、受信品質算出部４５と、制御部４６を備える。なお図４において、デジタルアナログ変換器を「Ｄ／Ａ」と表記し、アンテナ共用器を「ＤＵＰ」と表記し、アナログデジタル変換器を「Ａ／Ｄ」と表記し、フーリエ変換部を「ＦＦＴ」と表記する。
【００３３】
なお、下りリンク受信部３０は、特許請求の範囲に記載される第１受信部の一例として挙げられる。上りリンク受信部４０は、特許請求の範囲に記載される第２受信部の一例として挙げられる。フーリエ変換部３８及び受信品質算出部４５は、特許請求の範囲に記載される受信電力測定部の一例として挙げられる。
【００３４】
なお、受信品質算出部４５は、特許請求の範囲に記載される受信品質算出部の一例として挙げられる。制御部４６は、特許請求の範囲に記載される比較部及び判定部の一例として挙げられる。上りリンク送信部４４は、特許請求の範囲に記載されるアンテナ装置の送信部の一例として挙げられる。サブバンド合成部４３は、特許請求の範囲に記載される信号生成部の一例として挙げられる。
【００３５】
下りリンク受信部３０は、デジタル信号線７によりアンテナ装置６よりも上流に接続された基地局装置５又は他のアンテナ装置から、デジタル信号線７−１を経由して下りリンク信号がマッピングされた信号フォーマットを受信する。なお、以下の説明において、デジタル信号線７によりアンテナ装置６よりも上流に接続された基地局装置５又は他のアンテナ装置を「上流側の装置」と表記することがある。また、以下の説明において、デジタル信号線７によりアンテナ装置６よりも下流に接続された他のアンテナ装置を「下流側の装置」と表記することがある。下りリンク受信部３０は、上流側の装置から、デジタル信号線７−１を経由してサブバンド情報を受信する。
【００３６】
複製部３１は、下りリンク受信部３０が受信した信号を複製して、下りリンク受信部３０が受信した信号と同一の信号を下りリンク送信部３２へ入力する。下りリンク送信部３２は、複製部３１により複製された信号を下流側の装置へ送信する。
【００３７】
デジタルアナログ変換器３３は、下りリンク受信部３０が受信した信号をアナログ形式の信号へ変換する。無線送信部３４は、デジタルアナログ変換器３３によりアナログ形式に変換された信号を無線周波数信号へ変換する。無線送信部３４から出力される無線周波数信号は、アンテナ共用器３５を経由してアンテナ装置６に設けられたアンテナから送信される。
【００３８】
一方で、移動局装置４から送信される上りリンクの無線信号は、アンテナ装置６に設けられたアンテナで受信される。アンテナにて受信された無線信号は、アンテナ共用器３５を経由して無線受信部３６に入力される。無線受信部３６は、受信した無線周波数信号をベースバンド信号に変換する。アナログデジタル変換器３７は、無線受信部３６から出力されるベースバンド信号をデジタル信号に変換する。以下の説明において、移動局装置４から無線回線を経由して受信される上りリンク信号を「無線回線上りリンク信号」と表記することがある。
【００３９】
フーリエ変換部３８は、デジタル信号に変換された受信信号をフーリエ変換によって周波数領域信号へ変換する。フーリエ変換部３８により出力される周波数領域信号は、受信品質算出部４５とサブバンド分割部３９へ入力される。
【００４０】
サブバンド分割部３９は、フーリエ変換部３８から受信した周波数領域信号を各サブバンド毎に分割することにより、各サブバンド＃１〜＃ｐの無線回線上りリンク信号の周波数領域信号を得る。サブバンド分割部３９は、各サブバンド＃１〜＃ｐの無線回線上りリンク信号の周波数領域信号を信号処理部４２へ入力する。
【００４１】
一方で、下流側の装置が移動局装置４から受信した上りリンク信号は、デジタル信号線７−２を経由して伝送される。上りリンク受信部４０は、下流側の装置が受信した上りリンク信号を、デジタル信号線７−２を経由して下流側の装置から受信する。以下の説明において、デジタル信号線７−２を経由して下流側の装置が受信される上りリンク信号を「有線回線上りリンク信号」と表記することがある。
【００４２】
有線回線上りリンク信号は、各サブバンド毎に分割され図３に示す信号フォーマットに格納されていてよい。データ部Ｄ１〜Ｄｐには、上りリンク信号が周波数帯域信号の形式で格納される。
【００４３】
また、上りリンク受信部４０は、デジタル信号線７−２を経由して下流側の装置から受信品質情報を受信する。受信品質情報は、各サブバンド＃１〜＃ｐの有線回線上りリンク信号のそれぞれの受信品質を示す。受信品質情報は、例えば、信号対干渉雑音比、所望信号の信号強度及び非所望信号の信号強度のうち少なくとも２つを含む。
【００４４】
受信品質情報は、ヘッダ部分Ｈ１〜Ｈｐに格納されてデジタル信号線７−２上を伝送されてよく、図３に示す信号フォーマットとは別に伝送されてもよい。上りリンク受信部４０は、受信した受信品質情報を受信品質算出部３６へ出力する。上りリンク受信部４０は、受信した受信品質情報を制御部４６へ出力してもよい。
【００４５】
サブバンド分割部４１は、有線回線上りリンク信号を、各サブバンド＃１〜＃ｐの上りリンク信号の周波数領域信号へ分割する。サブバンド分割部４１は、各サブバンド＃１〜＃ｐの有線回線上りリンク信号の周波数領域信号を信号処理部４２へ入力する。
【００４６】
信号処理部４２は、各サブバンド＃１〜＃ｐ毎に、サブバンド分割部４１から入力された上りリンク信号、サブバンド分割部３９から入力された上りリンク信号、またはこれらの合成信号のいずれかを選択して、サブバンド合成部４３へ出力する。信号処理部４２は、この選択処理を制御部４６からの指示信号に従って行う。
【００４７】
図５は、信号処理部４２の第１例の構成図である。信号処理部４２は、ｐ個の合成部５０−１〜５０−ｐと、（２×ｐ）個のスイッチ５１−１〜５１−ｐ及び５２−１〜５２−ｐを備える。なお、図５において、合成部を「ＡＤＤ」と表記し、スイッチを「ＳＷ」と表記する。また、以下の説明において合成部５０−１〜５０−ｐを総称して「合成部５０」と表記することがある。さらに以下の説明においてスイッチ５１−１〜５１−ｐ及び５２−１〜５２−ｐを、それぞれ総称して「スイッチ５１」及び「スイッチ５２」と表記することがある。
【００４８】
また、合成部５０は、特許請求の範囲に記載のアンテナ装置の合成部の一例として挙げられる。スイッチ５１及び５２は、特許請求の範囲に記載の第１選択部の一例として挙げられる。
【００４９】
スイッチ５１−１〜５１−ｐは、各々１つの入力と第１出力及び第２出力を備える。合成部５０−１〜５０−ｐは、各々第１入力及び第２入力と１つの出力を備える。スイッチ５２−１〜５２−ｐは、各々第１入力及び第２入力と１つの出力を備える。
【００５０】
スイッチ５１−１〜５１−ｐは、制御部４６からの指示信号に従って、入力で受信した信号の出力先を第１出力及び第２出力の間で切り替える。入力には、サブバンド分割部３９からの出力が接続される。サブバンド分割部３９から出力される各サブバンド＃１〜＃ｐの無線回線上りリンク信号の周波数領域信号がスイッチ５１−１〜５１−ｐに入力される。
【００５１】
スイッチ５１−１〜５１−ｐの第１出力は、合成部５０−１〜５０−ｐの第１入力に接続される。またスイッチ５１−１〜５１−ｐの第２出力は、５２−１〜５２−ｐの第１入力に接続される。
【００５２】
合成部５０−１〜５０−ｐの第２入力には、サブバンド分割部４１の出力が接続される。サブバンド分割部４１から出力される各サブバンド＃１〜＃ｐの有線回線上りリンク信号の周波数領域信号が合成部５０−１〜５０−ｐに入力される。合成部５０−１〜５０−ｐは、第１入力及び第２入力から受信した各サブバンド＃１〜＃ｐの上りリンク信号の周波数領域信号を合成して出力する。合成部５０−１〜５０−ｐの出力は、スイッチ５２−１〜５２−ｐの第２入力に接続される。
【００５３】
スイッチ５２−１〜５２−ｐは、制御部４６からの指示信号に従って、第１入力及び第２入力で受信した信号のいずれか一方を選択して出力する。スイッチ５２−１〜５２−ｐの出力は、サブバンド合成部４３へ接続される。
【００５４】
サブバンド分割部３９から入力された無線回線上りリンク信号を信号処理部４２から出力する場合には、制御部４６は、スイッチ５１において入力信号の出力先を第２出力に設定する。また、制御部４６は、スイッチ５２において出力信号を第１入力に設定する。
【００５５】
サブバンド分割部４１から入力された有線回線上りリンク信号を信号処理部４２から出力する場合には、制御部４６は、スイッチ５１において入力信号の出力先を第２出力に設定する。また、制御部４６は、スイッチ５２において出力信号を第２入力に設定する。
【００５６】
サブバンド分割部３９及び４１から入力された上りリンク信号の合成信号を信号処理部４２から出力する場合には、制御部４６は、スイッチ５１において入力信号の出力先を第１出力に設定する。また、制御部４６は、スイッチ５２において出力信号を第２入力に設定する。
【００５７】
図４を参照する。サブバンド合成部４３は、信号処理部４２から出力される各サブバンド＃１〜＃ｐの上りリンク信号の周波数領域信号を、図３に示す信号フォーマットに格納することにより、デジタル信号線７−２上を伝送するデジタル信号を生成する。上りリンク送信部４４は、サブバンド合成部４３が生成したデジタル信号を、上流側の装置へ送信する。
【００５８】
受信品質算出部４５は、フーリエ変換部３８が出力する受信信号の周波数領域信号に基づいて、各サブバンドにおける受信電力強度を求め、各サブバンドにおける受信品質を算出する。受信品質算出部４５は、下りリンク受信部３０が受信したサブバンド情報に従って未割当サブバンドを特定する。受信品質算出部４５は、未割当サブバンドにおける受信電力強度ｒ２を、非所望信号の信号強度とみなす。
【００５９】
所望のサブバンドにおける受信電力強度をｒ１とするとき、受信品質算出部４５は、次式（２）により所望のサブバンドにおける無線回線上りリンク信号の受信品質Ｑ２を算出する。
【００６０】
Ｑ２＝（ｒ１−ｒ２）／ｒ２      （２）
【００６１】
受信品質算出部４５は、受信品質Ｑ２を制御部４６へ出力する。受信品質算出部４５は、有線回線上りリンク信号の受信品質情報が、所望信号及び非所望信号の信号強度の形で与えられるとき、次式（３）により有線回線上りリンク信号の信号品質Ｑ１を算出してよい。
【００６２】
Ｑ１＝所望信号の信号強度／非所望信号の信号強度      （３）
【００６３】
受信品質算出部４５は、信号品質Ｑ１を制御部４６へ出力してよい。制御部４６は、有線回線上りリンク信号の受信品質情報が、信号対干渉雑音比で与えられる場合、受信した信号対干渉雑音比を信号品質Ｑ１として使用してよい。
【００６４】
制御部４６は、有線回線上りリンク信号の受信品質Ｑ１と無線回線上りリンク信号の受信品質Ｑ２とが所定の条件を満たすか否かを、各サブバンド毎に判定する。所定の条件は、受信品質Ｑ１及びＱ２の大小関係を判定する条件であってよく、例えば、受信品質Ｑ１とＱ２との間の差や比が所定の閾値を越えない場合に満たされる条件であってよい。
【００６５】
あるサブバンドについて受信品質Ｑ１及びＱ２が所定の条件を満たすとき、制御部４６は、信号処理部４２に対して、このサブバンドについてサブバンド分割部３９及び４１から入力された上りリンク信号の合成信号を出力する指示信号を出力する。
【００６６】
この結果、このサブバンドについては、無線回線上りリンク信号と有線回線上りリンク信号との合成信号が上りリンク送信部４４によって出力される。このとき制御部４６は、合成信号の受信品質を算出して合成信号の受信品質情報を生成する。
【００６７】
無線受信部３６で受信した所望信号の強度ｓ２及び非所望信号の強度ｎ２とし、下流側の装置から受信する上りリンク信号の受信品質情報の所望信号の強度ｓ１及び非所望信号の強度をｎ１とする。このとき、制御部４６は次式（４）によって、合成後の受信品質Ｑ３を算出してよい。
【００６８】
Ｑ３＝（ｓ１＋ｓ２）／（ｎ１＋ｎ２）        （４）
【００６９】
あるサブバンドについて受信品質Ｑ１及びＱ２が所定の条件を満たさない場合、制御部４６は、受信品質Ｑ１及びＱ２のどちらが高いかを判断する。受信品質Ｑ１の方が高いとき、制御部４６は、信号処理部４２に対して、このサブバンドについて有線回線サブバンド分割部４１から入力された上りリンク信号を出力する指示信号を出力する。この結果、このサブバンドについては、有線回線上りリンク信号が上りリンク送信部４４によって出力される。このとき制御部４６は、受信品質Ｑ１を示す受信品質情報を生成する。
【００７０】
一方で、受信品質Ｑ２の方が高いとき、制御部４６は、信号処理部４２に対して、このサブバンドについてサブバンド分割部３９から入力された上りリンク信号を出力する指示信号を出力する。この結果、このサブバンドについては、無線回線上りリンク送信部４４によって出力される。このとき制御部４６は、受信品質Ｑ２を示す受信品質情報を生成する。
【００７１】
制御部４６は、受信品質情報をサブバンド合成部４３に出力する。サブバンド合成部４３は、受信品質情報を図３に示す信号フォーマットのヘッダ部分Ｈ１〜Ｈｐに格納する。この結果、アンテナ装置６が上流側の装置へ送信する上りリンク信号の受信品質情報が、デジタル信号線７−２上を介して上流側の装置へ送信される。または、制御部４６は、上りリンク送信部４４によって、受信品質情報を図３に示す信号フォーマットと別に上流側の装置に送信してもよい。
【００７２】
次にアンテナ装置６における処理について説明する。図６は、アンテナ装置６における処理の第１例の説明図である。なお、他の実施態様においては、下記のオペレーションＡＡ〜ＡＫの各オペレーションはステップであってもよい。
【００７３】
オペレーションＡＡにおいて下りリンク受信部３０は、基地局装置５が送信したサブバンド情報を、デジタル信号線７−１を経由して受信する。下りリンク受信部３０は、サブバンド情報を制御部４６へ出力する。下りリンク受信部３０は、サブバンド情報を受信品質算出部４５へ出力してもよい。
【００７４】
オペレーションＡＢにおいて無線受信部３６は、移動局装置４から送信される上りリンクの無線信号を受信する。受信された上りリンク信号はフーリエ変換部３８により周波数領域信号に変換される。周波数領域信号はサブバンド分割部３９及び受信品質算出部４５へ入力される。なお、オペレーションＡＡ及びＡＢはいずれが先に実行されてもよい。
【００７５】
サブバンド分割部３９は、周波数領域信号を各サブバンド毎の信号に分割する。サブバンド分割部３９は、分割されたサブバンド毎の周波数領域信号を信号処理部４２に出力する。
【００７６】
オペレーションＡＣにおいて受信品質算出部４５は、フーリエ変換部３８から入力した周波数領域信号のうち、未割当サブバンドにおける受信電力強度を、非所望信号の信号強度ｒ２として算出する。
【００７７】
オペレーションＡＤにおいて受信品質算出部４５は、各サブバンドにおける受信電力強度ｒ１を算出する。受信品質算出部４５は、上式（２）に従って各サブバンドにおける無線回線上りリンク信号の受信品質Ｑ２を算出する。
【００７８】
オペレーションＡＥにおいて上りリンク受信部４０は、有線回線上りリンク信号を受信する。また上りリンク受信部４０は、デジタル信号線７−２を経由して、有線回線上りリンク信号の受信品質を示す受信品質情報を受信する。受信品質情報が示す各サブバンドにおける受信品質を代表してＱ１と表記する。オペレーションＡＡ〜ＡＤと、オペレーションＡＥはいずれが先に実行されてもよい。
【００７９】
上りリンク受信部４０は、有線回線上りリンク信号をサブバンド分割部４１へ出力する。サブバンド分割部４１は、有線回線上りリンク信号を、各サブバンド毎の周波数領域信号へ分割する。サブバンド分割部４１は、分割されたサブバンド毎の周波数領域信号を信号処理部４２に出力する。
【００８０】
以下のオペレーションＡＦ〜ＡＪは、ｐ個のサブバンドについてそれぞれ実行される反復処理である。各サブバンド＃ｉ（ｉ＝１〜ｐ）を指定するインデクス変数として「ｉ」が使用される。オペレーションＡＦにおいて制御部４６は、変数ｉに１を代入する。
【００８１】
オペレーションＡＧにおいて制御部４６は、サブバンド＃ｉが移動局装置４に割り当てられているか否かを判定する。サブバンド＃ｉが移動局装置に割り当てられている場合（オペレーションＡＧ：Ｙ）、処理はオペレーションＡＨへ進む。サブバンド＃ｉが移動局装置に割り当てられていない場合（オペレーションＡＧ：Ｎ）、処理はオペレーションＡＩへ進む。
【００８２】
オペレーションＡＨにおいて、制御部４６は、デジタル信号線７−２を経由して上流側の装置へ送信する上りリンク信号を決定するための第１送信信号決定処理を実行する。図７は、第１送信信号決定処理の第１例の説明図である。なお、他の実施態様においては、下記のオペレーションＢＡ〜ＢＦの各オペレーションはステップであってもよい。
【００８３】
オペレーションＢＡにおいて制御部４６は、サブバンド＃ｉについて、有線回線上りリンク信号の受信品質Ｑ１と、無線回線上りリンク信号の受信品質Ｑ２とが所定の条件を満たすか否か判定する。所定の条件が満たされる場合（オペレーションＢＡ：Ｙ）、処理はオペレーションＢＢへ進む。所定の条件が満たされない場合（オペレーションＢＡ：Ｎ）、処理はオペレーションＢＤへ進む。
【００８４】
オペレーションＢＢにおいて制御部４６は、信号処理部４２に対して、サブバンド＃ｉについてサブバンド分割部３９及び４１から入力された上りリンク信号の合成信号を、出力信号として選択する指示信号を出力する。この指示信号に従って信号処理部４２は、有線回線上りリンク信号及び無線回線上りリンク信号の合成信号をサブバンド合成部４３へ出力する。
【００８５】
オペレーションＢＣにおいてサブバンド合成部４３は、信号処理部４２から出力される合成信号を、サブバンド＃ｉの上りリンク信号の周波数領域信号として、図３に示す信号フォーマットに格納する。
【００８６】
オペレーションＢＤにおいて制御部４６は、受信品質Ｑ１が受信品質Ｑ２よりも高いか否かを判定する。受信品質Ｑ１が受信品質Ｑ２よりも高い場合（オペレーションＢＤ：Ｙ）、処理はオペレーションＢＥへ進む。受信品質Ｑ１が受信品質Ｑ２よりも高くない場合（オペレーションＢＤ：Ｎ）、処理はオペレーションＢＦへ進む。
【００８７】
オペレーションＢＥにおいて制御部４６は、信号処理部４２に対して、サブバンド＃ｉについてサブバンド分割部４１から入力された上りリンク信号を出力信号として選択する指示信号を出力する。この指示信号に従って、信号処理部４２はサブバンド分割部４１から入力された信号、すなわち有線回線上りリンク信号をサブバンド合成部４３へ出力する。その後処理はオペレーションＢＣへ進む。
【００８８】
オペレーションＢＦにおいて制御部４６は、信号処理部４２に対して、サブバンド＃ｉについてサブバンド分割部３９から入力された上りリンク信号を出力信号として選択する指示信号を出力する。この指示信号に従って、信号処理部４２はサブバンド分割部３９から入力された信号、すなわち無線回線上りリンク信号をサブバンド合成部４３へ出力する。その後処理はオペレーションＢＣへ進む。
【００８９】
図６を参照する。オペレーションＡＩにおいて制御部４６は、変数ｉの値を１つ増加する。オペレーションＡＪにおいて制御部４６は、変数ｉの値がサブバンド数ｐを超えたか否かを判定する。変数ｉの値がサブバンド数ｐを超えた場合（オペレーションＡＪ：Ｙ）、処理はオペレーションＡＫへ進む。変数ｉの値がサブバンド数ｐを超えない場合（オペレーションＡＪ：Ｎ）、処理はオペレーションＡＧへ戻る。
【００９０】
オペレーションＡＫにおいて、上りリンク送信部４４は、デジタル信号線７−２を経由して、サブバンド合成部４３が信号フォーマットに格納した上りリンク信号を上流側の装置へ送信する。
【００９１】
本実施例によれば、基地局装置５にカスケード接続された複数のアンテナ装置６において、アンテナ装置６で受信した上りリンク信号の無線信号の受信品質を算出する受信品質算出機能を提供することが可能となる。受信品質の算出には、未割当サブバンドにおける受信強度と所望のサブバンドの受信強度を使用するため、簡易な構成で受信品質算出機能を実現することができる。
【００９２】
かかる受信品質算出機能により、各アンテナ装置６は、有線回線上りリンク信号と無線回線上りリンク信号を、その受信品質に基づいて選択的に使用することが可能となる。例えば、有線回線上りリンク信号と無線回線上りリンク信号のどちらかの受信品質が悪い場合に、これらを合成せずに品質の良い信号を選択して上流側の装置へ伝送することができる。
【００９３】
この結果、基地局装置５に複数のアンテナ装置６がカスケード接続されるアンテナシステムにおいて上りリンク信号の受信品質を向上することができる。したがって、アンテナシステムにおける上りリンク信号のスループット特性を向上することができる。
【００９４】
未割当サブバンドの決定方法について説明する。基地局装置５は、スケジューラ１１によるスケジューリングの結果として移動局装置４に割り当てられないこととなったサブバンドを未割当サブバンドとして指定してよい。
【００９５】
また、基地局装置５は、固定されたサブバンドを未割当サブバンドとして指定してもよく、未割当サブバンドとして指定されるサブバンドを変化させてもよい。基地局装置５は、周期的に未割当サブバンドを変化させてよい。基地局装置５は、所定期間の間に全てのサブバンド＃１〜＃ｐが、少なくとも１度は未割当サブバンドとして指定されるように、未割り当てサブバンドを変更してもよい。
【００９６】
次に、アンテナ装置６の受信品質算出部４５は、あるサブバンドにおける受信品質を算出するとき、このサブバンドに隣接する未割当サブバンドの受信電力強度ｒ２を、非所望信号の信号強度とみなしてよい。
【００９７】
未割当サブバンドの指定が時間変化するとき、受信品質算出部４５は、各サブバンドが未割当サブバンドとして指定されたときの受信電力強度ｒ２を記憶してよい。受信品質算出部４５は、あるサブバンドにおける受信品質を算出するとき、このサブバンドが過去に未割当サブバンドとして指定されたときに算出及び記憶した受信電力強度ｒ２を、非所望信号の信号強度とみなしてよい。このように隣接する及び同一のサブバンドが未割当サブバンドとして指定されたときの受信電力強度ｒ２を使用することにより、より精度の高い受信品質測定を行うことが可能となる。
【００９８】
また、平均的な他セル干渉成分は全周波数帯域で大きく変わらないと仮定して、隣接しない未割当サブバンドの受信電力強度ｒ２を、非所望信号の信号強度とみなしてもよい。
【００９９】
次に、制御部４６が、デジタル信号線７−２を経由して上流側の装置へ送信する上りリンク信号を決定する決定方法の他の例を説明する。図８は、図６に示す第１送信信号決定処理ＡＨの第２例の説明図である。なお、他の実施態様においては、下記のオペレーションＣＡ〜ＣＣの各オペレーションはステップであってもよい。
【０１００】
オペレーションＣＡにおいて制御部４６は、サブバンド＃ｉについて、有線回線上りリンク信号の受信品質Ｑ１が、無線回線上りリンク信号の受信品質Ｑ２よりも高いか否かを判定する。受信品質Ｑ１が受信品質Ｑ２よりも高い場合（オペレーションＣＡ：Ｙ）、処理はオペレーションＣＢへ進む。受信品質Ｑ１が受信品質Ｑ２よりも高くない場合（オペレーションＣＡ：Ｎ）、処理はオペレーションＣＤへ進む。
【０１０１】
オペレーションＣＢにおいて制御部４６は、信号処理部４２に対して、サブバンド＃ｉについてサブバンド分割部４１から入力された上りリンク信号を出力信号として選択する指示信号を出力する。この指示信号に従って、信号処理部４２はサブバンド分割部４１から入力された信号、すなわち有線回線上りリンク信号をサブバンド合成部４３へ出力する。その後処理はオペレーションＣＣへ進む。
【０１０２】
オペレーションＣＣにおいてサブバンド合成部４３は、信号処理部４２から出力される信号を、サブバンド＃ｉの上りリンク信号の周波数領域信号として、図３に示す信号フォーマットに格納する。
【０１０３】
オペレーションＣＤにおいて制御部４６は、信号処理部４２に対して、サブバンド＃ｉについてサブバンド分割部３９から入力された上りリンク信号を出力信号として選択する指示信号を出力する。この指示信号に従って、信号処理部４２はサブバンド分割部３９から入力された信号、すなわち無線回線上りリンク信号をサブバンド合成部４３へ出力する。その後処理はオペレーションＣＣへ進む。
【０１０４】
本実施例によれば、有線回線上りリンク信号と無線回線上りリンク信号とを比較し、受信品質が良い方を選択して上流側の装置へ伝送することができる。本実施例によれば、図５に示す信号処理部４２の合成部５０が不要になり、アンテナ装置６の構成をより簡易にすることが可能となる。
【０１０５】
続いて、アンテナ装置６及び基地局装置５の他の実施例について説明する。上記実施例の各アンテナ装置６では、無線回線上りリンク信号と有線回線上りリンク信号を合成しなかったとき、これらの上り信号の一方を選択して上流側へ送信する。以下の説明において、上流側へ送信される信号として選択された一方の信号を「選択信号」と表記し、選択されなかった他方の信号を「不選択信号」と表記する。
【０１０６】
以下に説明する実施例では、アンテナ装置６は、デジタル信号線７−２で伝送される信号フォーマット内の未割当サブバンドの上りリンク信号を格納するために用意された格納領域に、不選択信号を格納して上流側の装置へ送信する。以下の説明において、信号フォーマット内の未割当サブバンドの上りリンク信号を格納するために用意された格納領域を「未割当領域」と表記することがある。
【０１０７】
基地局装置５では、同じサブバンドについての上りリンク信号を、本来の格納領域と未割当領域の両方から取得する。基地局装置５は、これらの上りリンク信号の位相補正を行った後に合成することにより、上りリンク信号の最大比合成を実行する。
【０１０８】
図９は、本実施例において使用される信号処理部４２の第２例の構成図である。信号処理部４２はスイッチ部５３を備える。スイッチ部５３は、制御部４６からの指示信号に従って、スイッチ５１−１〜５１−ｐの第２出力とスイッチ５２−１〜５２−ｐの第１入力との間の接続関係を切り換える。またスイッチ部５３は、制御部４６からの指示信号に従って、合成部５０−１〜５０−ｐの出力とスイッチ５２−１〜５２−ｐの第２入力との間の接続関係を切り換える。スイッチ５３は、特許請求の範囲に記載の第２選択部の一例として挙げられる。
【０１０９】
サブバンド＃１〜＃ｐのいずれかのサブバンド＃ｘにおいて不選択信号が生じた場合を想定する。制御部４６は、不選択信号が出力される合成部５０−ｘの出力又はスイッチ５１−ｘの第２出力を、サブバンド合成部４３への未割当サブバンド＃ｙの信号の入力に設けられたスイッチ５２−ｙの入力に接続するように、スイッチ部５３へ指示する。この結果、サブバンド合成部４３は、未割当サブバンド＃ｙ用の未割当領域にサブバンド＃ｘの不選択信号を格納する。
【０１１０】
また、制御部４６は、下流側の装置から受信した信号フォーマットの未割当領域に格納された信号を、不選択信号と同様に、上流側の装置へ送信する未割当領域に再び格納してもよい。この場合に制御部４６は、例えば、未割当領域に格納された有線回線上りリンク信号が出力される合成部５０−ｙの出力をスイッチ５２−ｙの入力に接続するように、スイッチ部５３へ指示してよい。
【０１１１】
不選択信号が複数あるとき、制御部４６は、不選択信号のうち受信品質がより良いものから順に選択して、未割当領域に格納するように信号処理部４２を制御してよい。
【０１１２】
サブバンド＃ｘの信号が未割当サブバンド＃ｙ用の未割当領域に格納されるとき、制御部４６は、未割当サブバンド＃ｙ用の未割当領域にサブバンド＃ｘの信号が格納されたことを示すサブバンド格納情報を生成してよい。制御部４６は、上りリンク送信部４４によって、サブバンド格納情報をデジタル信号線７−２を経由して上流側の装置に送信してもよい。サブバンド格納情報は、例えば信号フォーマットのヘッダ部Ｈｙに格納される等によって、信号フォーマットに多重化されてもよい。
【０１１３】
以下、本実施例におけるアンテナ装置６の処理の処理を説明する。図１０は、本実施例におけるアンテナ装置６の処理の第２例の説明図である。なお、他の実施態様においては、下記のオペレーションＡＡ〜ＡＬの各オペレーションはステップであってもよい。また、オペレーションＡＡ〜ＡＫは、図６を参照して上記したオペレーションＡＡ〜ＡＫと同様である。
【０１１４】
オペレーションＡＬにおいて、制御部４６は、ｓ個の未割当領域に格納して伝送する信号を決定するための第２送信信号決定処理を実行する。図１１は、第２送信信号決定処理の例の説明図である。なお、他の実施態様においては、下記のオペレーションＤＡ〜ＤＥの各オペレーションはステップであってもよい。
【０１１５】
以下のオペレーションＤＡ〜ＤＤは、ｐ個のサブバンドについてそれぞれ実行される反復処理である。オペレーションＤＡにおいて制御部４６は、変数ｉに１を代入する。
【０１１６】
オペレーションＤＢにおいて制御部４６は、サブバンド＃ｉの上りリンク信号について、未割当サブバンド用の格納領域に格納して伝送する信号の候補を決定する。図１２は、未割当領域に格納して伝送する信号を選定する条件の説明図である。
【０１１７】
制御部４６は、以下に示す４つの条件である条件１〜条件４のいずれかが満足するかに応じて、各サブバンド＃１〜＃ｐ毎に、未割当領域に格納する信号を選択する。
【０１１８】
（条件１）
条件１が満たされる場合とは、有線回線上りリンク信号と無線回線上りリンク信号とが合成され、かつ下流側の装置からの受信信号の未割当領域にサブバンド＃ｉの信号が格納されている場合である。このとき制御部４６は、未割当領域に格納された信号を候補として選択する。
【０１１９】
（条件２）
条件２が満たされる場合とは、有線回線上りリンク信号と無線回線上りリンク信号とが合成され、かつ下流側の装置からの受信信号の未割当領域にサブバンド＃ｉの信号が格納されていない場合である。このとき制御部４６は、候補なしと判断する。
【０１２０】
（条件３）
条件３が満たされる場合とは、有線回線上りリンク信号と無線回線上りリンク信号とが合成されず、かつ下流側の装置からの受信信号の未割当領域にサブバンド＃ｉの信号が格納されている場合である。このとき制御部４６は、不選択信号と未割当領域に格納された信号のうち品質が高い信号を、候補として選択する。
【０１２１】
（条件４）
条件４が満たされる場合とは、有線回線上りリンク信号と無線回線上りリンク信号とが合成されず、かつ下流側の装置からの受信信号の未割当領域にサブバンド＃ｉの信号が格納されていない場合である。このとき制御部４６は、不選択信号を候補として選択する。
【０１２２】
図１１を参照する。オペレーションＤＣにおいて制御部４６は、変数ｉの値を１つ増加する。オペレーションＤＤにおいて制御部４６は、変数ｉの値がサブバンド数ｐを超えたか否かを判定する。変数ｉの値がサブバンド数ｐを超えた場合（オペレーションＤＤ：Ｙ）、処理はオペレーションＤＥへ進む。変数ｉの値がサブバンド数ｐを超えない場合（オペレーションＤＤ：Ｎ）、処理はオペレーションＤＢへ戻る。
【０１２３】
オペレーションＤＥにおいて制御部４６は、各サブバンド毎に選択された候補のうち受信品質が最も良いｓ個を選択し、信号フォーマットの未割当サブバンド用の格納領域に格納する。
【０１２４】
以下、本実施例による基地局装置５の構成及び処理について説明する。図１３は、基地局装置５の第２例の構成図である。基地局装置５は、信号合成部１９を備える。信号合成部１９は、デマッピング部１６からユーザ毎に分離されたデータを受信する。
【０１２５】
信号合成部１９は、信号フォーマットに多重化されたサブバンド搭載情報に基づいて、未割当サブバンド用の格納領域に格納された信号のユーザを識別する。信号合成部１９は、未割当サブバンド用の格納領域に格納された信号と、このユーザに割り当てられたサブバンド用の本来の格納領域に格納された信号とを位相補正した後に合成する。信号合成部１９は、合成後の信号をデータチャネル復号部１７へ出力する。
【０１２６】
本実施例によれば、未割当サブバンドの上りリンク信号を格納するために用意された格納領域を用いて不選択信号を基地局へ送信し上りリンク信号の最大比合成処理に使用する。このため本実施例によれば、上りリンク信号の受信品質をより一層向上することができる。
【０１２７】
以上の実施例を含む実施形態に関し、更に以下の付記を開示する。
【０１２８】
（付記１）
基地局装置にカスケード接続で接続される複数のアンテナ装置のいずれかであって、
周波数帯域を分割して得られる複数のサブバンドのうち、移動局装置に割り当てられていないサブバンドを特定するサブバンド情報を、前記基地局装置から受信する第１受信部と、
移動局装置から送信され前記カスケード接続の下流側の他のアンテナ装置にて受信された上りリンク信号およびこの上りリンク信号の受信品質情報を、前記カスケード接続の下流側に接続された他のアンテナ装置から受信する第２受信部と、
移動局装置から送信された無線の上りリンク信号を受信する無線受信部と、
前記無線受信部により受信された前記無線の上りリンク信号の受信電力および前記サブバンド情報により特定されるサブバンドにおける受信電力に基づく前記無線の上りリンク信号の受信品質と、前記第２受信部が受信した受信品質情報とを比較する比較部と、
を備えるアンテナ装置。
【０１２９】
（付記２）
前記比較部による比較結果に基づいて、前記無線受信部により受信された前記上りリンク信号と前記第２受信部により受信された前記上りリンク信号とを合成するか否かを判定する判定部と、
前記無線受信部により受信された前記上りリンク信号と前記第２受信部により受信された前記上りリンク信号とを合成する合成部と、
前記合成部により合成された信号を、前記カスケード接続の上流側に送信する送信部と、を備える付記１に記載のアンテナ装置。
【０１３０】
（付記３）
前記合成部が前記上りリンク信号を合成しない場合に、前記比較部による比較結果に基づいて、前記無線受信部により受信された前記上りリンク信号と前記第２受信部により受信された前記上りリンク信号とのいずれかを選択する第１選択部を備え、
前記送信部は、前記第１選択部が選択した上り信号を送信する付記２に記載のアンテナ装置。
【０１３１】
（付記４）
前記比較部による比較結果に基づいて、前記無線受信部により受信された前記上りリンク信号と前記第２受信部により受信された前記上りリンク信号とのいずれかを選択する第１選択部と、
前記第１選択部により選択された信号を、前記カスケード接続の上流側に送信する送信部と、を備える付記１に記載のアンテナ装置。
【０１３２】
（付記５）
前記サブバンド毎に上りリンク信号を格納する複数の格納領域を持つ信号フォーマットに、前記複数のサブバンドにて伝送される上りリンク信号のそれぞれを格納することにより、前記カスケード接続にて伝送される信号を生成する信号生成部と、
前記複数の格納領域のうち前記サブバンド情報により特定されるサブバンド用の格納領域に格納する上り信号として、前記第１選択部により選択されない上りリンク信号を選択する第２選択部と、
を備える付記３又は４に記載のアンテナ装置。
【０１３３】
（付記６）
基地局装置と、この基地局装置に対してカスケード接続される複数のアンテナ装置を有する通信システムであって、
前記基地局装置は、
周波数帯域を複数のサブバンドに分割して移動局装置に割り当てる割当部と、
前記複数のサブバンドのうち、移動局装置に割り当てられていないサブバンドを特定するサブバンド情報を前記複数のアンテナ装置に送信するサブバンド情報送信部と、を備え、
前記アンテナ装置は、
前記サブバンド情報を前記基地局装置から受信する第１受信部と、
移動局装置から送信され前記カスケード接続の下流側の他のアンテナ装置にて受信された上りリンク信号およびこの上りリンク信号の受信品質情報を、前記カスケード接続の下流側に接続された他のアンテナ装置から受信する第２受信部と、
移動局装置から送信された無線の上りリンク信号を受信する無線受信部と、
前記無線受信部により受信された前記無線の上りリンク信号の受信電力および前記サブバンド情報により特定されるサブバンドにおける受信電力に基く前記無線の上りリンク信号の受信品質と、前記第２受信部が受信した受信品質情報とを比較する比較部と、
を備える通信システム。
【０１３４】
（付記７）
前記アンテナ装置は、
前記比較部による比較結果に基づいて、前記無線受信部により受信された前記上りリンク信号と前記第２受信部により受信された前記上りリンク信号とを合成するか否かを判定する判定部と、
前記無線受信部により受信された前記上りリンク信号と前記第２受信部により受信された前記上りリンク信号とを合成する合成部と、
前記合成部により合成された信号を、前記カスケード接続の上流側に送信する送信部と、を備える付記６に記載の通信システム。
【０１３５】
（付記８）
前記アンテナ装置は、前記合成部が前記上りリンク信号を合成しない場合に、前記比較部による比較結果に基づいて、前記無線受信部により受信された前記上りリンク信号と前記第２受信部により受信された前記上りリンク信号とのいずれかを選択する第１選択部、を備え、
前記送信部は、前記第１選択部が選択した上り信号を送信する付記７に記載の通信システム。
【０１３６】
（付記９）
前記アンテナ装置は、
前記比較部による比較結果に基づいて、前記無線受信部により受信された前記上りリンク信号と前記第２受信部により受信された前記上りリンク信号とのいずれかを選択する第１選択部と、
前記第１選択部により選択された信号を、前記カスケード接続の上流側に送信する送信部と、を備える付記６に記載の通信システム。
【０１３７】
（付記１０）
前記アンテナ装置は、
前記サブバンド毎に上りリンク信号を格納する複数の格納領域を持つ信号フォーマットに、前記複数のサブバンドにて伝送される上りリンク信号のそれぞれを格納することにより、前記カスケード接続にて伝送される信号を生成する信号生成部と、
前記複数の格納領域のうち前記サブバンド情報により特定されるサブバンド用の格納領域に格納する上り信号として、前記第１選択部により選択されない上りリンク信号を選択する第２選択部と、を備え、
前記送信部は、前記信号フォーマットに格納された前記上りリンク信号と、前記第２選択部により選択された上りリンク信号のサブバンドを特定する特定情報とを、送信し、
前記基地局装置は、
前記送信部から送信された前記上りリンク信号と前記特定情報とを受信する受信部と、
前記複数の格納領域のうち前記特定情報により特定されるサブバンド用の格納領域に格納される上りリンク信号と、前記割当決定部が割り当てていないサブバンド用の格納領域に格納される上りリンク信号の位相補正を行う補正部と、
位相補正が行われた前記上りリンク信号を合成する合成部と、
を備える付記８又は９に記載の通信システム。
【０１３８】
（付記１１）
複数のアンテナ装置がカスケード接続される基地局装置であって、
周波数帯域を複数のサブバンドに分割して移動局装置に割り当てる割当部と、
移動局装置から前記サブバンドで送信された上りリンク信号を受信する前記アンテナ装置から、前記サブバンド毎に上りリンク信号を格納する複数の格納領域を持つ信号フォーマットに格納された前記上りリンク信号、および前記複数の格納領域のうち前記割当決定部が割り当てていないサブバンド用の格納領域に格納される上りリンク信号が送信されたサブバンドを特定情報を、前記カスケード接続を経由して受信する受信部と、
前記複数の格納領域のうち前記特定情報により特定されるサブバンド用の格納領域に格納される上りリンク信号と、前記割当決定部が割り当てていないサブバンド用の格納領域に格納される上りリンク信号の位相補正を行う補正部と、
位相補正が行われた前記上りリンク信号を合成する合成部と、
を備える基地局装置。
【０１３９】
（付記１２）
基地局装置にカスケード接続で接続される複数のアンテナ装置による通信方法において、
周波数帯域を分割して得られる複数のサブバンドのうち、移動局装置に割り当てられていないサブバンドを特定するサブバンド情報を、前記基地局装置から受信し、
移動局装置から送信され前記カスケード接続の下流側の他のアンテナ装置にて受信された上りリンク信号およびこの上りリンク信号の受信品質情報を、前記カスケード接続の下流側に接続された他のアンテナ装置から受信し、
移動局装置から送信された無線の上りリンク信号を受信し、
受信された前記無線の上りリンク信号の受信電力および前記サブバンド情報により特定されるサブバンドにおける受信電力に基づく前記無線の上りリンク信号の受信品質と、前記第２受信部が受信した受信品質情報とを比較し、
前記比較した結果に基づいて、前記無線受信部により受信された前記上りリンク信号と前記第２受信部により受信された前記上りリンク信号とを合成し、又は、前記無線受信部により受信された前記上りリンク信号と前記第２受信部により受信された前記上りリンク信号とのいずれかを選択し、
前記合成された信号、又は、選択された信号を前記カスケード接続の上流側に送信する、
ことを特徴とする通信方法。
【０１４０】
（付記１３）
複数のアンテナ装置がカスケード接続される基地局装置における通信方法において、
周波数帯域を複数のサブバンドに分割して移動局装置に割り当て、
移動局装置から前記サブバンドで送信された上りリンク信号を受信する前記アンテナ装置から、前記サブバンド毎に上りリンク信号を格納する複数の格納領域を持つ信号フォーマットに格納された前記上りリンク信号、および前記複数の格納領域のうち移動局装置に割り当てていないサブバンド用の格納領域に格納される上りリンク信号が送信されたサブバンドの特定情報を、前記カスケード接続を経由して受信し、
前記複数の格納領域のうち前記特定情報により特定されるサブバンド用の格納領域に格納される上りリンク信号と、前記割当決定部が割り当てていないサブバンド用の格納領域に格納される上りリンク信号の位相補正を行い、
前記位相補正が行われた前記上りリンク信号を合成する、
ことを特徴とする通信方法。
【符号の説明】
【０１４１】
１    通信システム
３    アンテナシステム
５    基地局装置
６−１、６−２、６−ｍ    アンテナ装置
７−１、７−２    デジタル信号線
【図１】
2012049776.tif 000003
【図２】
2012049776.tif 000004
【図３】
2012049776.tif 000005
【図４】
2012049776.tif 000006
【図５】
2012049776.tif 000007
【図６】
2012049776.tif 000008
【図７】
2012049776.tif 000009
【図８】
2012049776.tif 000010
【図９】
2012049776.tif 000011
【図１０】
2012049776.tif 000012
【図１１】
2012049776.tif 000013
【図１２】
2012049776.tif 000014
【図１３】
2012049776.tif 000015